(57)【要約】【課題】ポータブル空調装置１０にて異なるサイズの飲料ボトル２０を保冷ケース３０に固定する。【解決手段】ポータブル空調装置１０は、飲料ボトル２０を収納する保冷ケース３０を備える。保冷ケース３０は吹出口３６を形成するケース本体３１と吸込口３７を形成する蓋部３３とを備える。送風機４０は、保冷ケース３０の蓋部３３に支持されて、吸込口３７から収納室３０ａを通して吹出口３６に流れる空気流を発生させる。送風機４０は、収納室３０ａ内にて飲料ボトル２０を介して蓄冷材と熱交換した空気流を吹出口３６から吹き出す。飲料ボトル２０のキャップ２２が送風機４０に固定されている。このため、キャップ２２にボトル本体２１の注ぎ口が固定されている状態で、送風機４０が飲料ボトル２０のキャップ２２を支持する。したがって、保冷ケース３０が送風機４０を介して飲料ボトル２０を支持することができる。【選択図】図１
2018179321.tif 000002
【特許請求の範囲】
【請求項１】
蓄熱材或いは蓄冷材を収納する容器本体（２１）とこの容器本体の開口部を塞ぐキャップ（２２）とを有する容器（２０）と、
前記容器を収納する収納室（３０ａ）と、前記収納室とその外側との間を連通する第１通気口（３６）と、前記収納室とその外側との間を連通する第２通気口（３７）とを形成するケース（３０）と、
前記ケース内に配置されて、前記第１通気口および前記第２通気口のうち一方の通気口から前記収納室を通して他方の通気口に流れる空気流を発生させる送風機（４０）と、を備え、
前記収納室内にて前記容器を介して前記蓄熱材或いは前記蓄冷材と熱交換した前記空気流を前記他方の通気口から吹き出すポータブル空調装置であって、
前記ケースは、
開口部（１３１ａ）を有して前記容器を収納するケース本体（３１）と、
前記ケース本体の前記開口部を塞ぐように形成されて、前記ケース本体とともに前記収納室を形成する蓋部（３３）と、を備え、
前記送風機は、前記蓋部に支持されて、かつ前記キャップを支持するポータブル空調装置。
【請求項２】
前記ケースは、筒状に形成されており、
前記ケースの軸線（Ｓ）が延びる方向を軸線方向とし、
前記軸線方向の一方側に前記キャップが配置され、かつ前記軸線方向の他方側に前記容器本体が配置されるように前記容器が前記収納室に収納されており、
前記ケース本体の前記開口部は、前記軸線方向の一方側に開口している請求項１に記載のポータブル空調装置。
【請求項３】
前記蓋部は、前記送風機と前記キャップとを収納している請求項１または２に記載のポータブル空調装置。
【請求項４】
前記キャップが前記送風機に固定されている請求項１ないし３のいずれか１つに記載のポータブル空調装置。
【請求項５】
前記送風機には、前記キャップを保持するキャップホルダ（７０）が固定されており、
前記キャップホルダが前記キャップを保持した状態で、前記送風機が前記キャップホルダを介して前記キャップを支持する請求項１ないし３のいずれか１つに記載のポータブル空調装置。
【請求項６】
前記収納室のうち前記容器に対して前記軸線方向の他方側に空間（６１）が配置されるように前記ケースが形成されている請求項１ないし５のいずれか１つに記載のポータブル空調装置。
【発明の詳細な説明】
【技術分野】
【０００１】
本発明は、ポータブル空調装置に関するものである。
【背景技術】
【０００２】
従来、ポータブル空調装置では、蓄冷材を収納した飲料用ボトルと、飲料用ボトルを収納する収納室を形成する角筒状のケースと送風機とを備えるものがある（例えば、特許文献１参照）。
【０００３】
ケースのうち飲料用ボトルに対して軸線方向一方側には、収納室と外側との間を連通する吹出口が設けられている。軸線方向とは、ケースの軸線が延びる方向である。ケースのうち吹出口に対して軸線方向他方側には、収納室と外側との間を連通する吸入口が設けられている。
【０００４】
送風機の動作に伴って、ケースの外側から吸入口を通して空気流が収納室に吸入されて、この吸入された空気流は、飲料用ボトル内の蓄冷材により冷却されて冷風として送風機に吸い込まれる。この吸い込まれた冷風は、送風機から吹出口を通してケースの外側に吹き出される。
【０００５】
ケースには、飲料用ボトルのキャップを軸線方向一方側から支える支持部が設けられている。ケース内には、飲料用ボトルの底部に対して軸線方向一方側に弾性力を与えるバネが配置されている。このため、飲料用ボトルは、ケース内にて、支持部とバネとの間に挟み込まれて保持される。
【先行技術文献】
【特許文献】
【０００６】
【特許文献１】実用新案第３１１５９９５号公報
【発明の概要】
【発明が解決しようとする課題】
【０００７】
上記ポータブル空調装置では、飲料用ボトルは、ケース内にて、支持部とバネとの間に挟み込まれて保持される。
【０００８】
しかし、飲料用ボトルのサイズは、複数種あるため、サイズが小さい飲料用ボトルの場合には、支持部とバネとの間に飲料用ボトル（すなわち、容器）を挟んで保持することができない場合がある。
【０００９】
本発明は上記点に鑑みて、ケースによってサイズの異なる容器を保持するようにしたポータブル空調装置を提供することを目的とする。
【課題を解決するための手段】
【００１０】
上記目的を達成するため、請求項１に記載の発明では、蓄熱材或いは蓄冷材を収納する容器本体（２１）とこの容器本体の開口部を塞ぐキャップ（２２）とを有する容器（２０）と、
容器を収納する収納室（３０ａ）と、収納室とその外側との間を連通する第１通気口（３６）と、収納室とその外側との間を連通する第２通気口（３７）とを形成するケース（３０）と、
ケース内に配置されて、第１通気口および第２通気口のうち一方の通気口から収納室を通して他方の通気口に流れる空気流を発生させる送風機（４０）と、を備え、
収納室内にて容器を介して蓄熱材或いは蓄冷材と熱交換した空気流を他方の通気口から吹き出すポータブル空調装置であって、
ケースは、
開口部（１３１ａ）を有して容器を収納するケース本体（３１）と、
ケース本体の開口部を塞ぐように形成されて、ケース本体とともに収納室を形成する蓋部（３３）と、を備え、
送風機は、蓋部に支持されて、かつキャップを支持する。
【００１１】
したがって、請求項１に記載の発明によれば、蓋部が送風機を介して容器のキャップを支持することができる。このため、容器のキャップが共通であるならば、サイズの異なる容器をケースによって保持することができる。
【００１２】
なお、この欄および特許請求の範囲で記載した各手段の括弧内の符号は、後述する実施形態に記載の具体的手段との対応関係を示すものである。
【図面の簡単な説明】
【００１３】
【図１】本発明の第１実施形態におけるポータブル空調装置の内部構造を示す図である。
【図２】図１のポータブル空調装置の保冷ケースの蓋部の内部構造を示す図である。
【図３】図１のポータブル空調装置の保冷ケース内に飲料ボトルを収納する手順を説明するための図である。
【図４】本発明の第２実施形態におけるポータブル空調装置の保冷ケースの蓋部の内部構造を示す図である。
【発明を実施するための形態】
【００１４】
以下、本発明の実施形態について図に基づいて説明する。なお、以下の各実施形態相互において、互いに同一もしくは均等である部分には、説明の簡略化を図るべく、図中、同一符号を付してある。
【００１５】
（第１実施形態）
図１は本実施形態のポータブル空調装置１０の内部構成を示す断面図である。
【００１６】
本実施形態のポータブル空調装置１０は、図１に示すように、飲料の入った飲料ボトル２０と、この飲料ボトル２０を収容する保冷ケース３０と、ファン４２を備える送風機４０とを有して構成されている。
【００１７】
飲料ボトル２０は、内容量１．５リットルサイズのポリエチレンテレフタレート（ＰＥＴ）樹脂製のボトル本体（容器本体）２１と、ボトル本体２１の注ぎ口（すなわち、開口部）に取り付けられるポリエチレン樹脂製のキャップ２２とからなる容器である。
【００１８】
飲料ボトル２０は、例えばお茶や水などの飲料を入れたボトル本体２１を冷凍室等に入れて、ボトル本体２１内の飲料を完全に冷凍したものであり、ボトル本体（すなわち、容器本体）２１内で溶けた飲料が外部に漏れないように、飲み口にはキャップ２２が取り付けられている。
【００１９】
すなわち、本実施形態の飲料ボトル２０内で冷凍された飲料が蓄冷材として機能することになる。以下、飲料ボトル２０内で冷凍された飲料を蓄冷材ともいう。
【００２０】
このような飲料ボトル２０は、注ぎ口が保冷ケース３０の軸線方向一方側に配置され、ボトル本体２１の底部２３が軸線方向他方側に配置されるように保冷ケース３０に収納されている。本明細書において、軸線方向とは、保冷ケース３０の軸線Ｓが延びる方向のことである。
【００２１】
保冷ケース３０は、軸線Ｓを中心とする径方向寸法よりも軸線方向の寸法よりも長い角筒形状に形成されている。保冷ケース３０は、ケース本体３１、および蓋部３３を有している。保冷ケース３０の角筒状とは、保冷ケース３０のうち軸線方向に直交する断面の外縁が多角形になる筒状のことである。
【００２２】
ケース本体３１は、蓋部３３とともに飲料ボトル２０を収納する収納室３０ａを形成する角筒状に形成されている。
【００２３】
具体的には、ケース本体３１は、外ケース本体３１ａ、内ケース本体３１ｂ、および底ケース３１ｃを備える。
【００２４】
外ケース本体３１ａは、角筒状に形成されている。内ケース本体３１ｂは、外ケース本体３１ａに対して内側に配置されて筒状に形成されて収納室３０ａを形成する。外ケース本体３１ａの軸線は、内ケース本体３１ｂの軸線に一致している。外ケース本体３１ａと内ケース本体３１ｂとの間には、断熱用の空間３１ｄが形成されている。
【００２５】
外ケース本体３１ａは、その軸線方向一方側（図１中上側）に開口する開口部１３１ａを形成している。内ケース本体３１ｂは、軸線方向他方側（図１中下側）に開口する開口部１３２ｂを形成している。開口部１３１ａ、１３２ｂは、収納室３０ａに連通している。
【００２６】
内ケース本体３１ｂのうち軸線方向他方側には、収納室３０ａから冷風を吹き出す第１通気口としての吹出口３６が設けられている。
【００２７】
吹出口３６は、内ケース本体３１ｂにおいて、軸線Ｓに直交する方向に開口されて、外ケース本体３１ａを貫通して外側に連通している。吹出口３６には吹出管５０が嵌め込まれている。
【００２８】
外ケース本体３１ａおよび内ケース本体３１ｂは、それぞれ、合成樹脂によって形成されている。蓋部３３は、ケース本体３１に対して軸線方向一方側に配置されて、ケース本体３１の開口部１３１ａを塞ぐように形成されている。蓋部３３には、第１雄ネジ１３３ａ（図３参照）が設けられている。
【００２９】
外ケース本体３１ａには、第１雌ネジ１３３ｂ（図３参照）が設けられている。蓋部３３の第１雄ネジ１３３ａには、外ケース本体３１ａの第１雌ネジ１３３ｂが締結されている。このことにより、ケース本体３１に蓋部３３が脱着可能に取り付けられている。
【００３０】
底ケース３１ｃは、外ケース本体３１ａおよび内ケース本体３１ｂに対して軸線方向他方側に配置されている。底ケース３１ｃは、筒状に形成されて、ケース本体３１の開口部１３２ｂを塞ぐように形成されている。
【００３１】
底ケース３１ｃには、第２雄ネジが設けられている。外ケース本体３１ａには、第２雌ネジが設けられている。底ケース３１ｃの第２雄ネジには、外ケース本体３１ａの第２雌ネジが締結されている。このことにより、外ケース本体３１ａに底ケース３１ｃが脱着可能に取り付けられている。
【００３２】
蓋部３３は、合成樹脂材料によって筒状に形成されて、ケース本体３１とともに収納室３０ａを構成する。蓋部３３には、軸線方向一方側に開口する第２通気口としての吸込口３７が設けられている。蓋部３３内には、送風機４０、およびキャップ２２が収納されている。
【００３３】
このように構成されている保冷ケース３０の収納室３０ａ内には、軸線方向一方側にキャップ２２が配置され、かつ軸線方向一方側にボトル本体２１が配置されるように飲料ボトル２０が収納されている。
【００３４】
本実施形態では、保冷ケース３０の収納室３０ａの底部と飲料ボトル２０の底部との間には空間６１が形成されている。つまり、収納室３０ａのうち飲料ボトル２０に対して軸線方向他方側に空間６１が配置されるように保冷ケース３０が形成されている。
【００３５】
送風機４０は、電動モータ４１と、この電動モータ４１により駆動されているファン４２とを備えている。電動モータ４１は、蓋部３３内に固定されている。このことにより、送風機４０は、保冷ケース３０の蓋部３３に支持されていることになる。
【００３６】
ファン４２としては、軸流ファンが用いられている。ファン４２は、その吸気側が軸線方向一方側に向いて、排気側が軸線方向他方側に向くように配置されている。電動モータ４１は、ファン４２に対して軸線方法他方側に配置されている。
【００３７】
蓋部３３内には、電動モータ４１に給電するための電池（図示省略）が収納されている。さらに、蓋部３３には、電池から電動モータ４１への給電およびその停止を行う電源スイッチが設けられている。
【００３８】
電動モータ４１に対して軸線方向他方側にはキャップ２２が配置されている。キャップ２２は、その開口部２２ａを軸線方法他方側に向けた状態で電動モータ４１に接着剤等により固定されている。キャップ２２は、ボトル本体２１の注ぎ口を塞ぐように形成されている。
【００３９】
次に、本実施形態のポータブル空調装置１０の使用手順について説明する。まず、蓄冷材を収納したボトル本体２１を用意する。
【００４０】
次に、蓋部３３の第１雄ネジ１３３ａを外ケース本体３１ａの第１雌ネジ１３３ｂから外す。このことにより、保冷ケース３０から蓋部３３が外れる。
【００４１】
次に、蓋部３３内の送風機４０に固定されているキャップ２２にボトル本体２１の注ぎ口を取り付ける。その後、ボトル本体２１をケース本体３１に収納する。
【００４２】
次に、蓋部３３の第１雄ネジ１３３ａを外ケース本体３１ａの第１雌ネジ１３３ｂに締結することにより、保冷ケース３０に蓋部３３を固定する。このことにより、保冷ケース３０内に飲料ボトル２０が収納した状態で、ケース本体３１の開口部１３１ａが蓋部３３によって塞がれる。
【００４３】
その後、電源スイッチがオンされると、電源から電動モータ４１に電力が供給されて、電動モータ４１がファン４２を回転する。
【００４４】
すると、ファン４２は、吸込口３７を通して保冷ケース３０の外側から空気流を吸い込む。この吸い込まれた空気流はファン４２から吹き出される。
【００４５】
この吹き出される空気流は、収納室３０ａを軸線方法他方側に流れる。この空気流は、飲料ボトル２０との間で熱交換が行われて冷却される。この冷却された空気流（以下、冷風という）は、吹出口３６を通して吹出管５０から外側に吹き出される。
【００４６】
以上説明した本実施形態のポータブル空調装置１０は、蓄冷材を収納するボトル本体２１とこのボトル本体２１の開口部を塞ぐキャップ２２とを有する飲料ボトル２０と、角筒状に形成されて、その軸線方向一方側にキャップ２２が配置され、かつ軸線方向他方側にボトル本体２１が配置されるように飲料ボトル２０を収納する収納室３０ａを有する保冷ケース３０とを備える。
【００４７】
保冷ケース３０は、軸線方向一方側に開口する開口部１３１ａを有して飲料ボトル２０のうちボトル本体２１側を収納する収納室３０ａと、収納室３０ａとその外側との間を連通する吹出口３６とを形成するケース本体３１を備える。
【００４８】
保冷ケース３０は、ケース本体３１の開口部１３１ａを塞ぐように形成されている蓋部３３を備える。蓋部３３は、ケース本体３１とともに収納室３０ａを形成し、かつ収納室３０ａとその外側との間を連通する吸込口３７を形成する。
【００４９】
送風機４０は、保冷ケース３０の蓋部３３に配置されて、かつ蓋部３３によって支持されている。送風機４０は、吸込口３７から収納室３０ａを通して吹出口３６に向けて流れる空気流を発生させることにより、収納室３０ａ内にて飲料ボトル２０を介して蓄冷材と熱交換した空気流を吹出口３６から吹き出す。
【００５０】
飲料ボトル２０のキャップ２２が送風機４０に固定されている。このため、キャップ２２にボトル本体２１の注ぎ口が取り付けられている状態では、蓋部３３が送風機４０を介して飲料ボトル２０を支持している。したがって、保冷ケース３０が送風機４０を介して飲料ボトル２０を支持することができる。
【００５１】
一般的には、異なるサイズの飲料ボトル２０に対して共通のキャップ２２が使用されている。これにより、キャップ２２が共通であるならば、異なるサイズの飲料ボトル２０を保冷ケース３０によって支持することができる。
【００５２】
これに加えて、本実施形態では、保冷ケース３０から蓋部３３を外すと、蓋部３３とともに飲料ボトル２０を保冷ケース３０から取り出すことができる。このため、飲料ボトル２０を保冷ケース３０から容易に取り出すことができる。
【００５３】
（第２実施形態）
上記第１実施形態において、飲料ボトル２０のキャップ２２が送風機４０に直接固定されている例について説明したが、これに代えて、本第２実施形態では、飲料ボトル２０のキャップ２２を保持するキャップホルダ７０を送風機４０に固定して、送風機４０がキャップホルダ７０を介して飲料ボトル２０のキャップ２２を保持する例について説明する。
【００５４】
図４に本実施形態のポータブル空調装置１０の構成の一部を示す。
【００５５】
本実施形態のポータブル空調装置１０は、上記第１実施形態のポータブル空調装置１０において、キャップホルダ７０を追加したものである。このため、キャップホルダ７０について説明し、その他の構成の説明を簡素化する。
【００５６】
本実施形態のキャップホルダ７０は、送風機４０およびキャップ２２とともに、保冷ケース３０の蓋部３３内に収納されている。キャップホルダ７０は、送風機４０に接着剤等により固定されている。キャップホルダ７０は、飲料ボトル２０のキャップ２２を軸線方向一方側および径方向外側から覆うように形成されている。
【００５７】
キャップホルダ７０は、軸線方向他方側が開口されている開口部７１を有する円筒状に形成されている。キャップホルダ７０は、ゴム等の弾性変形可能な材料によって形成されている。キャップホルダ７０は、着脱可能に飲料ボトル２０のキャップ２２をその径方向外側から保持する。
【００５８】
次に、本実施形態のポータブル空調装置１０の使用手順について説明する。まず、蓄冷材を収納した飲料ボトル２０を用意する。
【００５９】
次に、保冷ケース３０から蓋部３３を外して、蓋部３３内の送風機４０に固定されているキャップホルダ７０の開口部７１内に飲料ボトル２０のキャップ２２を差し込む。これに伴い、キャップホルダ７０が弾性変形により径方向外側に広がる。
【００６０】
この際に、キャップホルダ７０から弾性力が飲料ボトル２０のキャップ２２に対して径方向内側に作用する。このため、キャップホルダ７０がその弾性力によって飲料ボトル２０のキャップ２２を保持することになる。その後、飲料ボトル２０のうちボトル本体２１側をケース本体３１に収納する。
【００６１】
次に、蓋部３３の第１雄ネジ１３３ａを外ケース本体３１ａの第１雌ネジ１３３ｂに締結することにより、ケース本体３１に蓋部３３を固定する。このことにより、保冷ケース３０内に飲料ボトル２０が収納された状態で、蓋部３３が送風機４０およびキャップホルダ７０を介して飲料ボトル２０を支持することができる。
【００６２】
一方、蓋部３３の第１雄ネジ１３３ａを外ケース本体３１ａの第１雌ネジ１３３ｂから外す。このことにより、保冷ケース３０から蓋部３３が外れる。この際に、飲料ボトル２０がキャップホルダ７０および送風機４０を介して蓋部３３により支持された状態でケース本体３１から取り出される。
【００６３】
その後、飲料ボトル２０のキャップ２２に対してキャップホルダ７０を軸線方向一方側（図４中上側）に移動させると、キャップホルダ７０は弾性変形により径方向外側に広がる。これに伴って、キャップホルダ７０と飲料ボトル２０のキャップ２２とが離れる。
【００６４】
以上説明した本実施形態では、キャップホルダ７０は、保冷ケース３０の蓋部３３内において、送風機４０に固定されている。キャップホルダ７０は、飲料ボトル２０のキャップ２２を着脱可能に支持する。これにより、蓋部３３が送風機４０およびキャップホルダ７０を介して飲料ボトル２０のキャップ２２を支持する。したがって、保冷ケース３０が送風機４０およびキャップホルダ７０を介して飲料ボトル２０を支持することができる。
【００６５】
一般的には、異なるサイズの飲料ボトル２０に対して共通のキャップ２２が使用されている。これにより、キャップ２２が共通であるならば、異なるサイズの飲料ボトル２０を保冷ケース３０によって支持することができる。
【００６６】
これに加えて、本実施形態では、ケース本体３１から蓋部３３を外すと、蓋部３３とともに飲料ボトル２０を保冷ケース３０から取り出すことができる。このため、飲料ボトル２０を保冷ケース３０から容易に取り出すことができる。
【００６７】
（他の実施形態）
（１）上記第１、第２実施形態では、飲料ボトル２０内に蓄冷材を収納した例について説明したが、これに代えて、温水等の蓄熱材を飲料ボトル２０内に収納して蓄熱材と空気流とを熱交換により温風を発生させてもよい。蓄熱材とは、空気流に放熱して空気流を加熱する部材である。
【００６８】
（２）上記第１、第２実施形態では、ケース本体３１に吹出口３６を設け、蓋部３３に吸込口３７を設けた例について説明したが、これに限らず、蓋部３３に吹出口３６を設け、ケース本体３１に吸込口３７を設けてもよい。
【００６９】
（３）上記第１、第２実施形態では、本発明の容器として飲料ボトル２０を用いた例について説明したが、これに代えて、本発明の容器としては、飲料ボトル２０以外の容器を用いてもよい。容器の材料としては、樹脂材料以外のガラス、金属材料等の材料を用いてもよい。
【００７０】
（４）上記第１、第２実施形態において、保冷ケース３０として、角筒状に形成されているケースを用いた例について説明したが、これに代えて、保冷ケース３０として、その軸線Ｓに直交する断面が円形となる円筒状に形成されているケースを用いてもよい。
【００７１】
（５）上記第１、第２実施形態において、吹出口３６を保冷ケース３０において軸線Ｓに対して直行する方向に開口した例について説明したが、これに代えて、保冷ケース３０において軸線方向他方向に開口してもよい。
【００７２】
（６）上記第１、第２実施形態において、軸線Ｓを中心とする径方向寸法よりも軸線方向の寸法よりも長い長筒形状に形成されているケースを保冷ケース３０として用いた例について説明したが、これに代えて、軸線方向の寸法が軸線Ｓを中心とする径方向寸法よりも短い短筒形状に形成されているケースを保冷ケース３０として用いてもよい。
【００７３】
（７）なお、本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の形状、位置関係等に言及するときは、特に明示した場合および原理的に特定の形状、位置関係等に限定される場合等を除き、その形状、位置関係等に限定されるものではない。
【００７４】
（まとめ）
上記実施形態、および他の実施形態の一部または全部に記載された第１の観点によれば、蓄熱材或いは蓄冷材を収納する容器本体とこの容器本体の開口部を塞ぐキャップとを有する容器と、容器を収納する収納室と、収納室とその外側との間を連通する第１通気口と、収納室とその外側との間を連通する第２通気口とを形成するケースと、ケース内に配置されて、第１通気口および第２通気口のうち一方の通気口から収納室を通して他方の通気口に流れる空気流を発生させる送風機と、を備え、収納室内にて容器を介して蓄熱材或いは蓄冷材と熱交換した空気流を他方の通気口から吹き出すポータブル空調装置であって、ケースは、開口部を有して容器を収納するケース本体と、ケース本体の開口部を塞ぐように形成されて、ケース本体とともに収納室を形成する蓋部と、を備え、送風機は、蓋部に支持されて、かつキャップを支持する。
【００７５】
第２の観点によれば、ケースは、筒状に形成されており、ケースの軸線が延びる方向を軸線方向とし、軸線方向の一方側にキャップが配置され、かつ軸線方向の他方側に容器本体が配置されるように容器が収納室に収納されており、ケース本体の開口部は、軸線方向の一方側に開口しており、
第３の観点によれば、蓋部は、送風機とキャップとを収納している。
【００７６】
第４の観点によれば、キャップが送風機に固定されている。これにより、蓋部が送風機を介して容器を支持することができる。
【００７７】
第５の観点によれば、送風機には、キャップを保持するキャップホルダが固定されており、キャップホルダがキャップを保持した状態で、送風機がキャップホルダを介して容器のキャップを支持する。
【００７８】
これにより、蓋部が送風機およびキャップホルダを介して容器を支持することができる。
【００７９】
第６の観点によれば、収納室のうち容器に対して軸線方向の他方側に空間が配置されるようにケースが形成されている。
【符号の説明】
【００８０】
１０    ポータブル空調装置
２０    飲料ボトル
２１    ボトル本体
２２    キャップ
３０    保冷ケース
３１    ケース本体
３３    蓋部
３６    吹出口
３７    吸込口
【図１】
2018179321.tif 000003
【図２】
2018179321.tif 000004
【図３】
2018179321.tif 000005
【図４】
2018179321.tif 000006